(57)【要約】【課題】放送外マネージドアプリケーションの通信コンテンツを利用したい利用者が視聴機会を逃すことなく放送コンテンツを視聴すること。【解決手段】外部端末（６）は、放送マネージドアプリケーションを通信ネットワークにより取得して起動させるデジタル放送受信機（５）と端末連携を行なう端末連携制御部（４３）と、端末連携により放送マネージドアプリケーションを起動させる端末用アプリケーション制御部（４２）と、記憶部（４４）と、を備え、端末用アプリケーション制御部（４２）は、放送マネージドアプリケーションから遷移可能であり、かつ、起動及び終了が制御されない放送外マネージドアプリケーションを通信ネットワークからダウンロードして記憶部（４４）に格納する。【選択図】図３
2015029166.tif 000002
【特許請求の範囲】
【請求項１】
放送コンテンツと起動及び終了が制御される放送マネージドアプリケーションを管理する制御情報とを含む放送信号を放送波により受信する放送波受信部と、前記制御情報に基づいて前記放送マネージドアプリケーションを通信ネットワークにより取得して起動させる受信機用アプリケーション制御部と、を備えたデジタル放送受信機と、
前記デジタル放送受信機と端末連携を行なう端末連携制御部と、前記端末連携により前記放送マネージドアプリケーションを起動させる端末用アプリケーション制御部と、記憶部と、を備えた外部端末と、
を具備し、
前記端末用アプリケーション制御部は、前記放送マネージドアプリケーションから遷移可能であり、かつ、起動及び終了が制御されない放送外マネージドアプリケーションを前記通信ネットワークからダウンロードして前記記憶部に格納することを特徴とする放送通信連携システム。
【請求項２】
前記端末用アプリケーション制御部は、前記放送外マネージドアプリケーションのダウンロードが完了したときに、前記記憶部に格納された前記放送外マネージドアプリケーションを利用可能である旨を表すダウンロード完了通知を出力する、
ことを特徴とする請求項１に記載の放送通信連携システム。
【請求項３】
前記端末用アプリケーション制御部は、起動指示に従って、前記記憶部に格納された前記放送外マネージドアプリケーションを起動させる、
ことを特徴とする請求項２に記載の放送通信連携システム。
【請求項４】
前記受信機用アプリケーション制御部は、前記放送コンテンツの番組がコマーシャル（以下、ＣＭと称する）に移行したときに、前記制御情報に基づいて、前記放送マネージドアプリケーションを前記通信ネットワークにより取得し、
前記放送マネージドアプリケーション、及び、前記放送外マネージドアプリケーションの通信コンテンツは、ＣＭコンテンツである、
ことを特徴とする請求項１から３のいずれかに記載の放送通信連携システム。
【請求項５】
放送コンテンツと起動及び終了が制御される放送マネージドアプリケーションを管理する制御情報とを含む放送信号を放送波により受信し、前記制御情報に基づいて前記放送マネージドアプリケーションを通信ネットワークにより取得して起動させるデジタル放送受信機と端末連携を行なう端末連携制御部と、
前記端末連携により前記放送マネージドアプリケーションを起動させる端末用アプリケーション制御部と、
記憶部と、
を具備し、
前記端末用アプリケーション制御部は、前記放送マネージドアプリケーションから遷移可能であり、かつ、起動及び終了が制御されない放送外マネージドアプリケーションを前記通信ネットワークからダウンロードして前記記憶部に格納することを特徴とする外部端末。
【発明の詳細な説明】
【技術分野】
【０００１】
本発明は、放送通信連携サービスを利用者に提供する放送通信連携システム、及び、外部端末に関する。
【背景技術】
【０００２】
ＩＰ（Internet Protocol）を利用してデジタルテレビ放送を配信する技術（その技術をＩＰＴＶという）が開発されている。そのＩＰＴＶの規定として、放送通信連携システム（ハイブリッドキャスト方式）が策定されている（例えば非特許文献１）。この放送通信連携システムでは、デジタル放送受信機は、放送波を受信して放送コンテンツを取得すると共に、ネットワーク経由で通信コンテンツを取得して、放送コンテンツと通信コンテンツとを同期再生する。これにより、放送と通信とを連携することが可能である。
【０００３】
具体的には、放送通信連携システムでは、利用者が放送コンテンツの番組をデジタル放送受信機により視聴しているときに、デジタル放送受信機と外部端末（タブレット端末など）とをホームネットワーク内で端末連携（ペアリング）させる。デジタル放送受信機は、その放送コンテンツがコマーシャル（commercial、以下、ＣＭと称する）になったタイミングで、放送信号によりＣＭコンテンツ提示用アプリケーションを取得して起動すると共に、外部端末では、そのＣＭコンテンツ提示用アプリケーションを端末連携により起動する。これにより、利用者は、ＣＭコンテンツ提示用アプリケーションが提供するＣＭコンテンツを外部端末により視聴可能である。ＣＭが終了した場合、デジタル放送受信機は、放送信号によりＣＭコンテンツ提示用アプリケーションを終了すると共に、外部端末は、そのＣＭコンテンツ提示用アプリケーションを端末連携により終了する。これにより、利用者は、放送コンテンツの番組をデジタル放送受信機により視聴可能である。すなわち、利用者はＣＭ視聴から番組視聴に移行する。このように、放送信号により起動及び終了が制御できるアプリケーションを放送マネージドアプリケーションという。
【０００４】
また、放送通信連携システムでは、放送外マネージドアプリケーションも規定されている。放送外マネージドアプリケーションは、上述の放送マネージドアプリケーションとは異なり、起動及び終了が放送信号に制御されないアプリケーションである。放送外マネージドアプリケーションを利用する例としては、ＣＭの時間内では伝えられない詳細な商品・サービス情報などを外部端末に提示したい場合に、放送マネージドアプリケーション上のリンク情報から放送外マネージドアプリケーションの取得・起動へと導くことにより、ＣＭの時間制限に左右されない豊富な商品・サービス情報の提供が可能である。
【先行技術文献】
【非特許文献】
【０００５】
【非特許文献１】ＩＰＴＶ規定  放送通信連携システム仕様  ＩＰＴＶＦＪ  ＳＴＤ−００１０  １．０版（２０１３年３月２２日１．０版策定）
【発明の概要】
【発明が解決しようとする課題】
【０００６】
放送通信連携システムでは、放送マネージドアプリケーションが提示する範囲内で利用者にＣＭコンテンツを外部端末により視聴させる場合には、ＣＭ終了と共に放送マネージドアプリケーションが終了することにより、利用者はＣＭ視聴から番組視聴に移行する。このため、利用者にとっては番組視聴が妨げられることはない。しかしながら、放送マネージドアプリケーションから放送外マネージドアプリケーションに遷移したときに、ＣＭが終了してから放送外マネージドアプリケーションが終了するまでの間、利用者は、放送外マネージドアプリケーションが提供するＣＭコンテンツを外部端末により視聴しているため、放送コンテンツの番組をデジタル放送受信機により視聴する機会を逃してしまう。
【０００７】
本発明は、上記の点に鑑みてなされたものであり、放送外マネージドアプリケーションの通信コンテンツを利用したい利用者が視聴機会を逃すことなく放送コンテンツを視聴することができる放送通信連携システム、及び、外部端末を提供することを目的とする。
【課題を解決するための手段】
【０００８】
本発明の放送通信連携システムは、放送コンテンツと起動及び終了が制御される放送マネージドアプリケーションを管理する制御情報とを含む放送信号を放送波により受信する放送波受信部と、前記制御情報に基づいて前記放送マネージドアプリケーションを通信ネットワークにより取得して起動させる受信機用アプリケーション制御部と、を備えたデジタル放送受信機と、前記デジタル放送受信機と端末連携を行なう端末連携制御部と、前記端末連携により前記放送マネージドアプリケーションを起動させる端末用アプリケーション制御部と、記憶部と、を備えた外部端末と、を具備し、前記端末用アプリケーション制御部は、前記放送マネージドアプリケーションから遷移可能であり、かつ、起動及び終了が制御されない放送外マネージドアプリケーションを前記通信ネットワークからダウンロードして前記記憶部に格納することを特徴とする。
【発明の効果】
【０００９】
本発明によれば、放送外マネージドアプリケーションの通信コンテンツを利用したい利用者が視聴機会を逃すことなく放送コンテンツを視聴することができる。
【図面の簡単な説明】
【００１０】
【図１】本発明の放送通信連携システムの構成を示す概略ブロック図である。
【図２】図１のデジタル放送受信機５の構成を示す概略ブロック図である。
【図３】図１の外部端末６の構成を示す概略ブロック図である。
【図４】本発明の放送通信連携システムの動作を示すタイミングチャートである。
【図５】図４の画面Ｙ２上のリンク情報Ｙ３の例を示す図である。
【図６】図４の画面Ｙ５上のダウンロード完了画面Ｙ６の例を示す図である。
【発明を実施するための形態】
【００１１】
以下、図面を参照しながら本発明の実施形態について説明する。
【００１２】
図１は、本発明の放送通信連携システムの構成を示す概略ブロック図である。放送通信連携システムは、放送局が放送波により放送サービスを提供するための放送局サーバ１と、サービス事業者がインターネット等の通信ネットワークを介して通信サービスを提供するためのサービスサーバ２と、利用者に利用されるデジタル放送受信機５及び外部端末６と、を具備している。
【００１３】
外部端末６としてはタブレット端末が例示され、外部端末６は、ホームネットワーク内でデジタル放送受信機５と接続され、そのデジタル放送受信機５と端末連携（ペアリング）可能である。ホームネットワークによる短距離無線通信技術としては、無線ＬＡＮ（Local Area Network）やブルートゥース（Bluetooth（登録商標））などが例示される。
【００１４】
放送局サーバ１は、一般的なデジタル放送用の放送設備（図示しない）を備えたコンピュータである。放送局サーバ１は、コンピュータが実行可能なコンピュータプログラムが格納された記憶装置（図示しない）と、そのコンピュータプログラムを読み出して実行するＣＰＵ（Central Processing Unit）（図示しない）と、を具備している。放送局サーバ１は、放送設備によって、放送コンテンツや、アプリケーション制御情報（Application Information Table：ＡＩＴ）等を多重化した放送信号を生成する。放送コンテンツは、番組とコマーシャル（commercial、以下、ＣＭと称する）とで構成されている。番組及びＣＭは、映像や音声を含んでいる。放送局サーバ１は、放送設備によって、その放送信号を放送波に変調し、放送用アンテナを介して放送波を送信する。これにより、番組が放送される。
【００１５】
放送信号は、ＡＲＩＢ（登録商標）（Association of Radio Industries and Broadcast：社団法人電波産業会）標準規格で規定される。デジタル放送によって提供される映像、音声等の各種データは、国際標準規格ＭＰＥＧ−２  Ｓｙｓｔｅｍｓで規定されるＴＳパケット（トランスポートストリームパケット）に格納されて、時分割で多重伝送される。
【００１６】
ＴＳパケットには、セクションに対してＰＳＩ（Program Specific Information）／ＳＩ（Service Information）が規定されている。ＰＳＩ／ＳＩには、ＴＳパケットに格納されているデータの種別を示す情報や、コンテンツの種別を示す情報が含まれている。ＴＳパケットによるデータ伝送は、セクションを用いてデータを伝送する方式と、ＰＥＳ（Packetized Elementary Stream）パケットを用いてデータを伝送する方式（データストリーム伝送方式）とに分類される。セクションを用いてデータを伝送する方式としては、データカルーセル伝送方式と、イベントメッセージ伝送方式とが挙げられる。
【００１７】
ＡＩＴは、アプリケーションプログラム（以下、放送マネージドアプリケーションと称する）を管理するための情報である。放送マネージドアプリケーションは、放送コンテンツと連携する通信コンテンツ（以下、ＣＭコンテンツと称する）を有し、そのＣＭコンテンツを放送コンテンツのＣＭの開始から終了まで提供するアプリケーションである。放送マネージドアプリケーションは、デジタル放送受信機５、及び、デジタル放送受信機５と端末連携される外部端末６により取得される。
【００１８】
また、ＡＩＴは、放送マネージドアプリケーションを識別するアプリケーションＩＤと、放送マネージドアプリケーションのライフサイクルを制御する放送マネージドアプリケーションライフサイクル制御情報と、放送マネージドアプリケーションの所在を示す放送マネージドアプリケーションロケーション情報と、を含んでいる。
【００１９】
放送マネージドアプリケーションが放送外マネージドアプリケーションに遷移可能なアプリケーションである場合、放送マネージドアプリケーションは、更に、放送外マネージドアプリケーションの所在を示す放送外マネージドアプリケーションロケーション情報を有している。
【００２０】
放送外マネージドアプリケーションは、放送マネージドアプリケーションとは異なり、起動及び終了が放送信号に制御されないアプリケーションであり、ＣＭの時間内では伝えられない詳細な商品・サービス情報などを提示する。放送外マネージドアプリケーションは、デジタル放送受信機５と端末連携される外部端末６により取得される。
【００２１】
サービスサーバ２は、放送マネージドアプリケーション配信サーバ３と、放送外マネージドアプリケーション配信サーバ４と、を具備している。ここで、放送マネージドアプリケーション配信サーバ３と放送外マネージドアプリケーション配信サーバ４とが同一のサーバでもよい。本実施形態では、放送マネージドアプリケーション配信サーバ３と放送外マネージドアプリケーション配信サーバ４とが別々に設けられているものとする。
【００２２】
放送マネージドアプリケーション配信サーバ３は、放送局サーバ１の設備と通信可能に接続され、放送マネージドアプリケーションを配信するコンピュータである。放送マネージドアプリケーション配信サーバ３は、コンピュータが実行可能なコンピュータプログラムが格納された記憶装置（図示しない）と、そのコンピュータプログラムを読み出して実行するＣＰＵ（図示しない）と、を具備している。放送マネージドアプリケーション配信サーバ３は、デジタル放送受信機５からのアプリケーション取得要求（デジタル放送受信機５を識別する識別子と、上述のＡＩＴのアプリケーションＩＤ、放送マネージドアプリケーションロケーション情報と、を少なくとも含む）に応じて、放送マネージドアプリケーションを、通信ネットワークを介してデジタル放送受信機５に配信する。
【００２３】
放送外マネージドアプリケーション配信サーバ４は、放送局サーバ１の設備と通信可能に接続され、放送外マネージドアプリケーションを配信するコンピュータである。放送外マネージドアプリケーション配信サーバ４は、コンピュータが実行可能なコンピュータプログラムが格納された記憶装置（図示しない）と、そのコンピュータプログラムを読み出して実行するＣＰＵ（図示しない）と、を具備している。放送外マネージドアプリケーション配信サーバ４は、デジタル放送受信機５と端末連携される外部端末６からの放送外マネージドアプリケーション取得要求（外部端末６を識別する識別子と、上述の放送外マネージドアプリケーションロケーション情報と、を少なくとも含む）に応じて、放送外マネージドアプリケーションを、通信ネットワークを介して外部端末６に配信する。
【００２４】
図２は、図１のデジタル放送受信機５の構成を示す概略ブロック図である。デジタル放送受信機５は、チューナ部１１と、放送波受信部１２と、記憶部１３と、受信機用出力部２０と、通信部３１と、受信機用アプリケーション制御部３２と、端末連携制御部３３と、これらを制御するＣＰＵ（図示しない）と、を具備している。ＣＰＵは、チューナ部１１、放送波受信部１２、記憶部１３、受信機用出力部２０、通信部３１、受信機用アプリケーション制御部３２、端末連携制御部３３に対して制御を行う。記憶部１３には、コンピュータが実行可能なコンピュータプログラムが格納されていて、ＣＰＵは、そのコンピュータプログラムを読み出して実行する。
【００２５】
放送波受信部１２は、チューナ部１１を介して放送局サーバ１から放送されている放送波を受信する。放送波受信部１２は、その放送波を復調し、放送波から放送信号、すなわち、ＴＳパケットを抽出する。放送波受信部１２は、ＴＳパケットのＰＳＩ／ＳＩを参照して、ＴＳパケットに含まれている映像データ及び音声データを受信機用出力部２０に出力する。また、放送波受信部１２は、予め規定されている伝送方法に応じてＡＩＴを抽出し、ＡＩＴを記憶部１３に格納する。
【００２６】
受信機用出力部２０は、音声制御部２１と、表示制御部２２と、スピーカ２３と、表示部２４と、を備えている。音声制御部２１は、放送波受信部１２からの音声データを、表示制御部２２により表示制御される映像データと同期をとりながらスピーカ２３に出力する。表示制御部２２は、放送波受信部１２からの映像データを、音声制御部２１により出力制御される音声データと同期をとりながら表示部２４に表示する。
【００２７】
通信部３１は、通信ネットワークを介してサービスサーバ２（放送マネージドアプリケーション配信サーバ３）と通信を行う通信インタフェースである。
【００２８】
受信機用アプリケーション制御部３２は、放送マネージドアプリケーションを取得するアプリケーションエンジンであり、取得された放送マネージドアプリケーションは、そのアプリケーションエンジン上で起動・終了する。受信機用アプリケーション制御部３２は、記憶部１３に格納されたＡＩＴに基づいて、通信部３１を介して放送マネージドアプリケーション配信サーバ３にアクセスし、放送マネージドアプリケーション配信サーバ３から配信される放送マネージドアプリケーションを取得する。
【００２９】
具体的には、受信機用アプリケーション制御部３２は、記憶部１３に格納されたＡＩＴのライフサイクル制御情報に基づいて、放送コンテンツのＣＭの開始を認識する。受信機用アプリケーション制御部３２は、その放送コンテンツがＣＭになったタイミングで、デジタル放送受信機５を識別する識別子と、ＡＩＴのアプリケーションＩＤ、放送マネージドアプリケーションロケーション情報と、を少なくとも含むアプリケーション取得要求を、通信部３１を介して放送マネージドアプリケーション配信サーバ３に送信する。受信機用アプリケーション制御部３２は、放送マネージドアプリケーション配信サーバ３から配信される放送マネージドアプリケーションを、通信部３１を介して取得し、その放送マネージドアプリケーションを起動させて、放送マネージドアプリケーションのＣＭコンテンツを受信機用出力部２０に提示する。
【００３０】
受信機用出力部２０において、例えば、表示制御部２２が放送コンテンツの映像データとして番組を表す番組画面を表示部２４に表示しているものとする。この放送コンテンツが番組からＣＭに移行した場合、受信機用アプリケーション制御部３２は、ＣＭを表すＣＭ画面と、放送マネージドアプリケーションのＣＭコンテンツを表す画面とが同時に表示部２４に表示されるように、表示制御部２２を制御する。この場合、ＣＭ画面のサイズは、番組画面のサイズよりも小さい。
【００３１】
また、放送マネージドアプリケーションが放送外マネージドアプリケーションロケーション情報を有している場合、受信機用アプリケーション制御部３２は、放送外マネージドアプリケーションの存在を提示する情報が放送マネージドアプリケーションのＣＭコンテンツを表す画面上に表示されるように、表示制御部２２を制御する。
【００３２】
端末連携制御部３３は、ホームネットワーク内で通信可能な機器（外部端末６）を発見し、外部端末６と端末連携を行なう機能である。
【００３３】
図３は、図１の外部端末６の構成を示す概略ブロック図である。外部端末６は、通信部４１と、端末用アプリケーション制御部４２と、端末連携制御部４３と、記憶部４４と、端末用出力部５０と、これらを制御するＣＰＵ（図示しない）と、を具備している。記憶部４４には、コンピュータが実行可能なコンピュータプログラムが格納されていて、ＣＰＵは、そのコンピュータプログラムを読み出して実行する。
【００３４】
端末用出力部５０は、音声制御部５１と、表示制御部５２と、スピーカ５３と、表示部５４と、を備えている。音声制御部５１は、音声データを、表示制御部５２により表示制御される映像データと同期をとりながらスピーカ５３に出力する。表示制御部５２は、映像データを、音声制御部５１により出力制御される音声データと同期をとりながら表示部５４に表示する。
【００３５】
端末連携制御部４３は、ホームネットワーク内で通信可能な機器（デジタル放送受信機５）を発見し、デジタル放送受信機５の端末連携制御部３３を介して、デジタル放送受信機５と端末連携を行なう機能である。
【００３６】
通信部４１は、通信ネットワークを介してサービスサーバ２（放送マネージドアプリケーション配信サーバ３、放送外マネージドアプリケーション配信サーバ４）と通信を行う通信インタフェースである。
【００３７】
端末用アプリケーション制御部４２は、放送マネージドアプリケーションを取得するアプリケーションエンジンであり、取得された放送マネージドアプリケーションは、そのアプリケーションエンジン上で起動・終了する。端末用アプリケーション制御部４２は、端末連携制御部４３を介してデジタル放送受信機５から放送マネージドアプリケーションを取得し、その放送マネージドアプリケーションを起動させて、放送マネージドアプリケーションのＣＭコンテンツを端末用出力部５０に提示する。
【００３８】
例えば、放送コンテンツが番組からＣＭに移行した場合、端末用アプリケーション制御部４２は、デジタル放送受信機５との端末連携により、放送マネージドアプリケーションのＣＭコンテンツを表す画面が表示部５４に表示されるように、表示制御部５２を制御する。
【００３９】
また、放送マネージドアプリケーションが放送外マネージドアプリケーションロケーション情報を有している場合、端末用アプリケーション制御部４２は、放送外マネージドアプリケーションの存在を提示し、かつ、放送外マネージドアプリケーションを取得するためのリンク情報が放送マネージドアプリケーションのＣＭコンテンツを表す画面上に表示されるように、表示制御部５２を制御する。リンク情報は、放送外マネージドアプリケーションロケーション情報を起動ボタンやリンクなどで表したものである。
【００４０】
放送外マネージドアプリケーションは、上述のように、放送マネージドアプリケーションとは異なり、起動及び終了が放送信号に制御されないアプリケーションであるため、放送外マネージドアプリケーションが起動中に、放送コンテンツのＣＭが終了することが想定される。
【００４１】
そこで、端末用アプリケーション制御部４２は、上述のリンク情報が利用者により操作された場合、外部端末６を識別する識別子と、放送外マネージドアプリケーションロケーション情報と、を少なくとも含む放送外マネージドアプリケーション取得要求を、通信部４１を介して放送外マネージドアプリケーション配信サーバ４に送信する。端末用アプリケーション制御部４２は、放送外マネージドアプリケーション配信サーバ４から配信される放送外マネージドアプリケーションを、通信部４１を介して取得（ダウンロード）して記憶部４４に格納する。
【００４２】
端末用アプリケーション制御部４２は、放送外マネージドアプリケーションのダウンロードが完了したときに、記憶部４４に格納された放送外マネージドアプリケーションを利用可能である旨を出力部５０に出力して、利用者に通知する。例えば、端末用アプリケーション制御部４２は、画面により利用者に通知する場合、記憶部４４に格納された放送外マネージドアプリケーションを利用可能である旨として、ダウンロード完了画面を表す映像データを端末用出力部５０に出力する。端末用出力部５０において、表示制御部５２は、端末用アプリケーション制御部４２からのダウンロード完了画面を表す映像データを表示部５４に表示する。
【００４３】
例えば放送コンテンツの番組が終了した場合に、利用者は、ダウンロード完了通知（例えば、上述のダウンロード完了画面）に対して、外部端末６を操作して起動指示を行なう。このとき、端末用アプリケーション制御部４２は、起動指示に応じて、記憶部４４に格納された放送外マネージドアプリケーションを起動する。
【００４４】
具体的には、端末用アプリケーション制御部４２は、記憶部４４に格納された放送外マネージドアプリケーションを起動したときに、その放送外マネージドアプリケーションの通信コンテンツ（ＣＭコンテンツ）の映像データ及び音声データを端末用出力部５０に出力する。端末用出力部５０において、音声制御部５１は、端末用アプリケーション制御部４２からの音声データを、表示制御部５２により表示制御される映像データと同期をとりながらスピーカ５３に出力する。表示制御部５２は、端末用アプリケーション制御部４２からの映像データを、音声制御部５１により出力制御される音声データと同期をとりながら表示部５４に表示する。
【００４５】
例えば、端末用アプリケーション制御部４２は、放送外マネージドアプリケーションのＣＭコンテンツを表す画面が表示部５４に表示されるように、表示制御部５２を制御する。放送外マネージドアプリケーションのＣＭコンテンツを表す画面は、ＣＭの時間内では伝えられない詳細な商品・サービス情報などを提示する。
【００４６】
デジタル放送受信機５（受信機用アプリケーション制御部３２）及び外部端末６（端末用アプリケーション制御部４２）の動作について、画面を例にして説明する。
【００４７】
図４は、本発明の実施形態に係る放送通信連携システムの動作を示すタイミングチャートである。
【００４８】
時刻ｔ１において、デジタル放送受信機５は、放送局サーバ１から放送されている放送コンテンツ及びＡＩＴを含む放送信号を放送波により受信し、放送コンテンツの映像データとして番組を表す番組画面Ｘ１を表示部２４に表示しているものとする。このとき、デジタル放送受信機５と端末連携される外部端末６は、通常の画面である画面Ｙ１を表示している。
【００４９】
時刻ｔ１より後の時刻ｔ２において、放送コンテンツが番組からＣＭに移行したものとする。このとき、デジタル放送受信機５は、放送コンテンツの映像データとしてＣＭを表すＣＭ画面Ｘ２を表示部２４に表示する。
【００５０】
時刻ｔ２より僅か後の時刻ｔ３において、デジタル放送受信機５は、ＡＩＴに基づいて放送マネージドアプリケーション配信サーバ３にアクセスし、放送マネージドアプリケーション配信サーバ３から放送マネージドアプリケーションを取得し、その放送マネージドアプリケーションを起動させる。デジタル放送受信機５は、ＣＭ画面Ｘ２のサイズを小さくして、ＣＭ画面Ｘ２と、放送マネージドアプリケーションのＣＭコンテンツを表す画面Ｘ３とを同時に表示部２４に表示する。また、外部端末６は、端末連携により、デジタル放送受信機５から放送マネージドアプリケーションを取得し、その放送マネージドアプリケーションを起動させる。このとき、外部端末６は、放送マネージドアプリケーションのＣＭコンテンツを表す画面Ｙ２を表示部５４に表示する。
【００５１】
放送マネージドアプリケーションが放送外マネージドアプリケーションロケーション情報を有している場合、時刻ｔ３より僅か後の時刻ｔ４において、デジタル放送受信機５は、放送外マネージドアプリケーションの存在を提示する画面Ｘ４を放送マネージドアプリケーションのＣＭコンテンツを表す画面Ｘ３上に表示する。外部端末６は、放送外マネージドアプリケーションの存在を提示し、かつ、放送外マネージドアプリケーションを取得するためのリンク情報Ｙ３を放送マネージドアプリケーションのＣＭコンテンツを表す画面Ｙ２上に表示する。
【００５２】
図５は、画面Ｙ２上のリンク情報Ｙ３の例を示す図である。例えば、外部端末６は、画面Ｙ２上のリンク情報Ｙ３内に、利用者の操作に応じて放送外マネージドアプリケーションをダウンロードするための操作ボタンＹ４を設ける。その操作ボタンＹ４には、利用者が操作（選択）することにより放送外マネージドアプリケーションがダウンロード後に利用可能である旨を表す「後で見る」が表記されている。
【００５３】
時刻ｔ４より後の時刻ｔ５において、リンク情報Ｙ３のボタンＹ４が利用者により操作（選択）されたものとする。この場合、時刻ｔ５より僅か後の時刻ｔ６において、外部端末６は、放送外マネージドアプリケーションロケーション情報に基づいて放送外マネージドアプリケーション配信サーバ４にアクセスし、放送外マネージドアプリケーション配信サーバ４から放送外マネージドアプリケーションを取得（ダウンロード）して、記憶部４４に格納する。
【００５４】
時刻ｔ６より後の時刻ｔ７において、放送コンテンツがＣＭから番組に移行したものとする。このとき、デジタル放送受信機５は、起動中の放送マネージドアプリケーションを終了させると共に、放送コンテンツの映像データとして番組を表す番組画面Ｘ５を表示部２４に表示する。同時に、外部端末６は、端末連携により、起動中の放送マネージドアプリケーションを終了させると共に、通常の画面である画面Ｙ５を表示する。
【００５５】
時刻ｔ７より後の時刻ｔ８において、放送外マネージドアプリケーション配信サーバ４から外部端末６への放送外マネージドアプリケーションのダウンロードが完了したものとする。このとき、外部端末６は、記憶部４４に格納された放送外マネージドアプリケーションを利用可能である旨を表すダウンロード完了画面Ｙ６を画面Ｙ５上に表示する。
【００５６】
図６は、画面Ｙ５上のダウンロード完了画面Ｙ６の例を示す図である。例えば、外部端末６は、ダウンロード完了画面Ｙ６により、記憶部４４に格納された放送外マネージドアプリケーションを利用可能である旨として「利用できる放送外マネージドアプリケーションがあります。」を利用者に通知する。
【００５７】
ここで、時刻ｔ８より後の時刻ｔ９において、放送コンテンツの番組が終了したものとする。
【００５８】
例えば、時刻ｔ９より後の時刻ｔ１０において、利用者がダウンロード完了画面Ｙ６に対して起動指示を行なった場合、記憶部４４に格納された放送外マネージドアプリケーションを起動する。このとき、外部端末６は、その放送外マネージドアプリケーションのＣＭコンテンツの映像として、画面Ｙ７を再生する。画面Ｙ７として再生されるＣＭコンテンツは、時刻ｔ６から時刻ｔ８の時間帯にダウンロードされたものである。
【００５９】
以上の説明により、本発明の実施形態に係る放送通信連携システムでは、利用者が放送コンテンツを視聴しているときに、放送マネージドアプリケーションから遷移可能な放送外マネージドアプリケーションをダウンロードすることにより、放送外マネージドアプリケーションの通信コンテンツ（ＣＭコンテンツ）を利用したい利用者は視聴機会を逃すことなく放送コンテンツを視聴することができる。
【００６０】
また、本発明の実施形態に係る放送通信連携システムでは、放送外マネージドアプリケーションをダウンロードした後に利用者に提示することにより、放送コンテンツを視聴している利用者は取得機会を逃すことなく放送外マネージドアプリケーションの通信コンテンツ（ＣＭコンテンツ）を利用することができる。
【００６１】
また、本発明の実施形態に係る放送通信連携システムでは、放送外マネージドアプリケーションがダウンロードされたことを利用者に提示した後に、利用者の操作に応じて放送外マネージドアプリケーションを起動させることにより、放送コンテンツを視聴した利用者にとって都合のタイミングで、放送外マネージドアプリケーションの通信コンテンツ（ＣＭコンテンツ）を利用することができる。
【００６２】
以上、この発明の実施形態について図面を参照して詳述してきたが、具体的な構成は実施形態に限られるものではなく、この発明の要旨を逸脱しない範囲の設計等も特許請求の範囲に含まれる。また、本発明は、請求項に示した範囲で種々の変更が可能であり、異なる実施形態にそれぞれ開示された技術的手段を適宜組み合わせて得られる実施形態についても本発明の技術的範囲に含まれる。また、上記実施形態に記載された要素であり、同様の効果を奏する要素同士を置換した構成も含まれる。
【００６３】
また、本実施形態に係る放送通信連携システムで動作するコンピュータプログラム（以下、プログラムと称する）は、本発明に関わる上記実施形態の機能を実現するように、ＣＰＵ等を制御するプログラム（コンピュータを機能させるプログラム）である。そして、これら装置で取り扱われる情報は、その処理的に一時的にＲＡＭに蓄積され、その後、各種ＲＯＭやＨＤＤに格納され、必要に応じてＣＰＵによって読み出し、修正・書き込みが行われる。プログラムを格納する記録媒体としては、半導体媒体（例えば、ＲＯＭ、不揮発性メモリカード等）、光記憶媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上記した実施形態の機能が実現されるだけでなく、そのプログラムの指示に基づき、オペレーティングシステムあるいは他のアプリケーションプログラム等と共同して処理することにより、本発明の機能が実現される場合もある。
【００６４】
また、市場に流通させる場合には、可搬型の記録媒体にプログラムを格納して流通させたり、インターネット等のネットワークを介して接続されたサーバコンピュータに転送したりすることができる。この場合、サーバコンピュータの記録装置も本発明に含まれる。また、上述した実施形態における送信装置及び受信装置の一部または全部を典型機能ブロックは個別にプロセッサ化してもよいし、一部または全部を集積してプロセッサ化してもよい。また、集積回路化の手法はＬＳＩに限らず専用回路または汎用プロセッサで実現しても良い。また、半導体技術の進歩によりＬＳＩに代替する集積回路化の技術が実現した場合、該当技術による集積回路を用いることも可能である。
【符号の説明】
【００６５】
１  …  放送波サーバ、
２  …  サービスサーバ、
３  …  放送マネージドアプリケーション配信サーバ、
４  …  放送外マネージドアプリケーション配信サーバ、
５  …  デジタル放送受信機、
６  …  外部端末、
１１  …  チューナ部、
１２  …  放送波受信部、
１３  …  記憶部、
２０  …  受信機用出力部、
２１  …  音声制御部、
２２  …  表示制御部、
２３  …  スピーカ、
２４  …  表示部、
３１  …  通信部、
３２  …  受信機用アプリケーション制御部、
３３  …  端末連携制御部、
４１  …  通信部、
４２  …  端末用アプリケーション制御部、
４３  …  端末連携制御部、
４４  …  記憶部、
５０  …  端末用出力部、
５１  …  音声制御部、
５２  …  表示制御部、
５３  …  スピーカ、
５４  …  表示部
【図１】
2015029166.tif 000003
【図２】
2015029166.tif 000004
【図３】
2015029166.tif 000005
【図４】
2015029166.tif 000006
【図５】
2015029166.tif 000007
【図６】
2015029166.tif 000008